(57)【特許請求の範囲】
【請求項１】
建物の外壁の上下方向に隣接するタイルの裏面が前記建物の外壁の上下方向に延伸するタイル連結体に貼り付けられ、
前記タイルの表面側に配設されるタイル保持枠と前記タイル連結体とが該タイル連結体の上縁部に固定される連結部材を介して連結され、
前記タイル連結体の上下両縁部を前記建物の外壁にそれぞれ固定させる固定手段が備えられていることを特徴とするタイル取付ユニット。
【請求項２】
前記タイル連結体に延伸方向に沿って複数の引っ掛け部が備えられ、前記タイルの裏面に形成された溝部を前記引っ掛け部に引っ掛けることを特徴とする請求項１に記載のタイル取付ユニット。
【請求項３】
請求項１又は請求項２に記載のタイル取付ユニットを用いて建物の壁面にタイルを取り付けるタイル取付方法であって、
前記タイル連結体に前記タイルを貼り付けた状態で前記タイルの表面側に前記タイル保持枠を設置すると共に前記タイル連結体と前記タイル保持枠を連結し、前記タイル保持枠を吊り下げて前記タイル連結体の上下両縁部を前記建物の壁面に前記固定手段を介してそれぞれ固定することを特徴とするタイル取付方法。
【発明の詳細な説明】
【技術分野】
【０００１】
本発明は、建物の外壁等の化粧部材であるタイルを連結して、そのタイルを建物の壁面に取付けるためのタイル取付ユニット、タイル取付方法及びタイル取付構造に関するものである。
【背景技術】
【０００２】
従来、建物の外壁に化粧部材であるタイルを貼り付ける方法として、予め複数のタイルを連結しておき、一度の作業で外壁の所定範囲にタイルを貼り付ける方法が知られている。
【０００３】
この従来の方法では、外壁の上下方向に隣接するタイルの裏面に接着テープ等の軟質シート状物を貼着してタイルを連結したり、紐状若しくは網状の連結部材をタイルの裏面に接着したりすることによりタイルを連結している（特許文献１、２参照）。
【特許文献１】特許第３０２８２８３号公報
【特許文献２】特許第３４５８４３５号公報
【発明の開示】
【発明が解決しようとする課題】
【０００４】
しかしながら、上記した従来の方法により連結されるタイルは、所定枚数のタイルを連結した小面積のものであり、外壁を埋め尽くすまでこのタイルを繰り返し取り付けなければならないので、取付作業の効率が悪く、作業時間が長期化するという問題があった。
【０００５】
そこで、本発明は、タイルを連結することにより形成された大面積の連結タイルを一度の取付作業で外壁に取り付けることにより、取付作業を行う作業者の負担を軽減することができると共に、作業時間を短縮することのできるタイル取付ユニット、タイル取付方法及びタイル取付構造を提供することを目的としている。
【課題を解決するための手段】
【０００６】
前記目的を達成するために、本発明は、建物の外壁の上下方向に隣接するタイルの裏面が前記建物の外壁の上下方向に延伸するタイル連結体に貼り付けられ、前記タイルの表面側に配設されるタイル保持枠と前記タイル連結体とが該タイル連結体の上縁部に固定される連結部材を介して連結され、前記タイル連結体の上下両縁部を前記建物の外壁にそれぞれ固定させる固定手段が備えられていることを特徴とする。
【０００７】
また、前記タイル連結体に延伸方向に沿って複数の引っ掛け部が備えられていてもよく、前記タイルの裏面に形成された溝部を前記引っ掛け部に引っ掛けることができる。
【０００８】
また、本発明は、前記タイル取付ユニットを用いて建物の壁面にタイルを取り付けるタイル取付方法であって、前記タイル連結体に前記タイルを貼り付けた状態で前記タイルの表面側に前記タイル保持枠を設置すると共に前記タイル連結体と前記タイル保持枠を連結し、前記タイル保持枠を吊り下げて前記タイル連結体の上下両縁部を前記建物の壁面に前記固定手段を介してそれぞれ固定することを特徴とする。
【発明の効果】
【００１０】
このように構成された本発明は、建物の外壁の上下方向に隣接するタイルの裏面が前記建物の外壁の上下方向に延伸するタイル連結体に貼り付けられ、前記タイルの表面側に配設されるタイル保持枠と前記タイル連結体とが該タイル連結体の上縁部に固定される連結部材を介して連結され、前記タイル連結体の上下両縁部を固定手段を介して前記建物の外壁にそれぞれ固定することにより、複数のタイルを連結することにより形成された大面積のタイルを一度の取付作業で建物の外壁に取付けることができる。
【００１１】
このため、タイルの取付作業を行う作業者の負担を軽減することができると共に、作業時間を短縮することができる。
【００１２】
また、タイル連結体の上下両縁部を建物の外壁に固定する固定手段を備えているので、連結されたタイルを建物の外壁に接着剤によって接着させる際に、接着剤が完全に硬化するまでの間に連結されたタイルの自重によって外壁に対するタイルの取付位置がずれてしまう事態を防止することができる。
【００１３】
さらに、連結部材を介してタイル連結体と連結されたタイル保持枠を吊り下げて運搬するので、例えば、タイル連結体を吊り下げることによってタイル連結体が変形し、貼り付けられたタイルが剥がれてしまうような事態を防止することができる。
【００１４】
また、タイルの表面側にタイル保持枠を配設するので、タイル保持枠によってタイルを保持しながら建物の外壁に設置することができる。
【００１５】
これにより、連結されたタイルの吊り下げ時などにおいて、タイル連結体からタイルが剥がれることを防止することができる。
【００１６】
さらに、前記タイル連結体に延伸方向に沿って複数の引っ掛け部を設け、前記タイルの裏面に形成された溝部を前記引っ掛け部に引っ掛けることにより、建物の火災時等においてタイルとタイル連結体とを接着させる接着剤が軟化しても、タイルがタイル連結体から脱落することを防止することができる。
【発明を実施するための最良の形態】
【００１７】
以下、本発明の最良の実施の形態について図面を参照して説明する。
【００１８】
図１は、本実施の形態のタイル取付ユニット１００の概略構成を示した分解斜視図である。
【００１９】
まず、構成から説明すると、タイル取付ユニット１００は、図１に示すようにタイル２３が貼り付けられたセットタイル２０と、そのセットタイル２０が備えるタイル２３の表面２３ａ側に配設されるタイル保持枠１０とから概略構成されている。
【００２０】
このセットタイル２０は、図１に示すように建物の外壁３０の上下方向に隣接するタイル２３、・・・の裏面２３ｂが、外壁３０の幅方向に所定の間隔を置いて配設された金属製で長尺薄板状のタイル連結体２１、・・・に貼り付けられると共に、外壁３０の上下方向に延伸するタイル連結体２１、・・・のそれぞれの上縁部に跨るように連結部材としての矩形状の連結プレート２２が固定されることによりなる。
【００２１】
この連結プレート２２の上枠部２２ａには、その長手方向でタイル連結体２１と交差する部分にボルト２９が挿通され、このボルト２９と図示しないナットとにより連結プレート２２とタイル連結体２１とが連結固定されている。
【００２２】
一方、連結プレート２２の下枠部２２ｂには、その長手方向でタイル連結体２１と交差する部分にビス挿通孔２５が形成され、セットタイル２０を外壁３０に設置後にこのビス挿通孔２５にビスを挿通してセットタイル２０を外壁３０にビス止め固定するようになっている。
【００２３】
また、連結プレート２２には、その長手方向に間隔を置いた２箇所に上枠部２２ａと下枠部２２ｂとを跨り、タイル保持枠１０側に張り出す断面略Ｌ字状の張出連結体２６、２６が固定されている。
【００２４】
さらに、この張出連結体２６、２６のタイル保持枠１０側に張り出す部分の先端縁部には、セットタイル２０とタイル保持枠１０とを連結する際に用いるビス挿通用の孔２６ａ、２６ａが形成されている。
【００２５】
また、外壁３０と対向する上枠部２２ａの面には、図１、２に示すように引っ掛け部２８、２８が一体に形成されている。
【００２６】
この引っ掛け部２８、２８は、図１、６に示すように外壁３０が備える板状の外壁下地材３５の壁面３５ａの上縁に沿うように形成された引っ掛け板３２に引っ掛けられるようになっている。
【００２７】
また、この引っ掛け板３２は、外壁下地材３５の上面上に固定された平面視コ字状の支持体３１に固定されている（図１を参照）。
【００２８】
一方、このセットタイル２０のタイル２３の表面２３ａ側に配設されるタイル保持枠１０は、枠組となる平面視矩形状で開口を有する木枠１４と吊り具固定板１２との間に合成樹脂からなる板状のプラスチックガラス１３が挟み込まれることによりなる。
【００２９】
また、この木枠１４の平面視矩形状の開口部１４ａの中央部には、その中空部分を左右２つに分割するように柱状の押え部材１４ｂが開口部１４ａの上下に跨って備えられている（図１を参照）。
【００３０】
さらに、セットタイル２０に対向する吊り具固定板１２の面には、矩形状の吊りプレート１１がビス１７により固定され、一方で、木枠１４の下面には断面視Ｌ字状の連結プレート１５がビス１８ｂにより固定されている（図２を参照）。
【００３１】
この吊りプレート１１には、図１、２に示すようにセットタイル２０に対向する吊りプレート１１の面を上下方向に延伸する吊り板部１１ｂ、１１ｂが一体に形成され、この吊り板部１１ｂ、１１ｂは吊りプレート１１の上枠部１１ｄの上縁から上方に突出している。
【００３２】
また、この吊り板部１１ｂ、１１ｂの上枠部１１ｄの上縁から突出する上端縁部には、吊り下げ用のフックなどによってタイル保持枠１０を吊り下げるための吊り孔１１ｃ、１１ｃがそれぞれ形成されている。
【００３３】
さらに、吊りプレート１１には、図１、２に示すように上枠１１ｄと下枠１１ｅに跨り、吊りプレート１１から木枠１４側に張り出す張出連結体１１ａ、１１ａが吊り板部１１ｂ、１１ｂから延出されるように一体に形成されている。
【００３４】
また、この張出連結体１１ａ、１１ａの底面は、ビス１８ａ、１８ａにより木枠１４の上面にビス止め固定される。
【００３５】
一方、木枠１４の下面に固定された連結プレート１５の下方に張り出す張出部１５ａには、図１、２に示すようにその長手方向に沿ってタイル連結体２１、・・・の本数と同数の貫通孔１６、・・・が形成されている。
【００３６】
尚、この貫通孔１６は、ビス４１を木枠１４側からセットタイル２０側に通過させることができる程度の径の大きさに形成されており、貫通孔１６を介してタイル連結体２１の下縁部にビス１６を直接打ち込むことができるようになっている。
【００３７】
次に、本実施の形態のタイル取付ユニット１００を用いて建物の壁面３０にタイル２３を取り付けるタイル取付方法について図１〜９を参照しながら説明する。
【００３８】
すなわち、複数のタイル２３をタイル連結体２１、・・・により連結し、タイル２３の表面２３ａ側にタイル保持枠１０を設置すると共に、タイル連結体２１、・・・に連結プレート２２を固定してタイル取付ユニット１００とし、タイル保持枠１０を吊り下げてセットタイル２０を外壁３０に固定する場合について説明する。
【００３９】
まず、タイル２３の貼り付け作業から説明すると、図３に示すように傾斜台５２によって傾斜するように設置されたタイル貼付け用の枠体５１が備える枠溝５１ａの底面部に、その幅方向に間隔を置いてタイル連結体２１、・・・を配設する。
【００４０】
そして、タイル連結体２１、・・・を配設後、枠体５１の枠溝５１ａの底面から起立する枠縁にタイル２３を押し当ててタイル２３の横方向の位置合わせを行いながらタイル連結体２１、・・・の上下方向にタイル２３を段状に貼り付ける。
【００４１】
尚、図４に示すようにタイル連結体２１には、その延伸方向に沿ってタイル２３の裏面２３ｂ側に突出する引っ掛け部としての引っ掛け片２４が複数形成されている。
【００４２】
この引っ掛け片２４にタイル２３の裏面２３ｂに形成された溝部としての凹溝２３ｃの上縁２３ｄを引っ掛けて、タイル２３の裏面２３ｂとタイル連結体２１の表面とを接着剤で接着させることによりタイル２３を貼り付ける。
【００４３】
これにより、建物の火災時等において接着剤が軟化しても、タイル２３がタイル連結体２１から脱落することを防止することができる。
【００４４】
そして、タイルを貼り付けて枠体５１の凹溝５１ａに敷き詰めた後、図５に示すように傾斜台５２を取り外して枠体５１を地面上に設置した状態で、タイル保持枠１０をタイル２３の表面２３ａ側に設置する。
【００４５】
さらに、図示はしていないが、地面上に設置された枠体５１をタイル連結体２１やタイル保持枠１０などと一緒にひっくり返してタイル保持枠１０を地面上に設置し、枠体５１をタイル保持枠１０の上側に載置した状態にする。この状態で、枠体５１を取り外す。
【００４６】
尚、上記したタイル貼付作業後において枠体５１と一緒にセットタイル２０をひっくり返しているが、このような状態でもタイル連結体２１、・・・に固定されたタイル２３、・・・は、タイル保持枠１０のプラスチックガラス１３に下方から表面保持されるので、剥がれ落ちたりすることはない。
【００４７】
しかも、プラスチックガラス１３は木枠１４と木枠１４が備える押え部材１４ｂによってセットタイル２０側に押圧されており、板状のプラスチックガラス１３の撓みを抑制しているので、タイル２３、・・・は良好に表面保持される（図５を参照）。
【００４８】
枠体５１を取り外した後、タイル連結体２１、・・・に連結プレート２２を固定すると共に、連結プレート２２の張出連結体２６を吊りプレート１１の開口部１１ｆに挿通してタイル保持枠１０の吊り具固定板１２に吊りプレート１１を固定する（図１、６を参照）。
【００４９】
そして、張出連結体２６のビス挿通用の孔２６ａにビス２６ｂを挿通して、張出連結体２６をタイル保持枠１０の木枠１４の上面に固定することにより、タイル２３の前面２３ａ側に設けられたタイル保持枠１０とセットタイル２０のタイル連結体２１、・・・とを連結プレート２２を介して連結する（図６を参照）。
【００５０】
さらに、木枠１４に連結プレート１５を固定すると共に、連結プレート１５の張出部１５ａを、タイル連結体２１、・・・の下端縁部と隣り合わせに接触させて両者を粘着テープ４３などにより繋ぎ合わせて置く（図６を参照）。
【００５１】
木枠１４に各種プレートを固定後、タイル連結体２１の外壁３０側の面とタイル２３の裏面２３ｂに接着剤を塗布する。
【００５２】
尚、接着剤はセットタイル２０の幅方向に繋ぎ合わされた各段のタイル２３、・・・とタイル連結体２１、・・・とに塗布されるが、各段の３つのタイル２３、・・・同士の継ぎ目を跨がないように塗布することが好ましい。
【００５３】
接着剤を塗布した後、図６に示すように運搬用のクレーン等に備えられた吊り下げ用のフック４４を吊り板部１１ｂの吊り孔１１ｃに挿通してタイル保持枠１０を吊り下げて、タイル取付ユニット１００を外壁３０付近まで移動させる。
【００５４】
そして、昇降移動させたタイル取付ユニット１００を、連結プレート２２に形成された引っ掛け部２８の引っ掛け溝２８ａを外壁３０が備える引っ掛け板３２の上縁部に引っ掛けて、タイル取付ユニット１００を外壁３０に設置する。
【００５５】
タイル取付ユニット１００を外壁３０設置後、外壁３０に対するタイル取付ユニット１００の位置調整を行う。
【００５６】
まず、外壁３０に対するタイル取付ユニット１００の幅方向の位置調整は、図１の外壁下地材３５の壁面３５ａの上下方向に沿って延在するように固定された断面Ｌ字状のガイドプレート４４に、セットタイル２０の幅方向の側縁部分に位置するタイル２３、・・・を押し当てて、タイル取付ユニット１００の外壁３０に対する幅方向の位置合わせを行う。
【００５７】
また、図示はしていないがタイル取付ユニット１００の上下方向の位置調整は、外壁下地材３５の壁面３５ａの上下方向の所定位置に予め位置合わせ用のタイルを複数個固定しておき、そのタイルの位置にタイル連結体２１に貼り付けられた所定の段のタイル２３の位置を合わせることにより調整を行う。
【００５８】
尚、プラスチックガラス１３が透明なので、取付作業者はセットタイル２０のタイル２３を目視しながら容易に位置合わせ用のタイルに位置合わせすることができる。
【００５９】
また、このタイル取付ユニット１００の上下方向の調整は、タイル取付ユニット１００が吊り下げられた状態のまま昇降させて大まかな位置合わせを行い、バール等の工具で微調整を行う。
【００６０】
タイル取付ユニット１００の位置調整後、図７、８に示すようにセットタイル２０の連結プレート２２の下枠２２ｂに形成されたビス挿通孔２５にビス４２を挿通してタイル連結体２１と外壁下地材３５にビス４２を打ち込むことによりタイル連結体２１の上縁部を外壁３０に仮固定する。
【００６１】
また、タイル取付ユニット１００の下縁側の連結プレート１５に形成された孔１６に固定手段としてのビス４１を挿通すると共に、タイル連結体２１にビス４１を打ち込むことによってタイル連結体２１の下縁部を外壁下地材３５にビス止め固定する（図７を参照）。
【００６２】
そして、吊り下げ用のフック４４を取り外し、タイル保持枠１０の連結プレート１５とタイル連結体２１とを繋ぎ合せていた粘着テープ４３を剥がし、タイル保持枠１０の木枠１４の上面に固定していた連結プレート２２の張出連結体２６、２６を取り外してタイル保持枠１０を吊りプレート１１と一緒にセットタイル２０から取り外す（図示省略）。
【００６３】
あるいは、セットタイル２０の裏面の不陸により、接着の甘い箇所があるような場合は、そのままタイル保持枠１０を取り付けたまま（セットタイル２０を押し付けた格好）セットタイル２０を養生して、一晩若しくはそれ以上の時間をおいてタイル２３、・・・に塗布した接着剤を完全に乾燥硬化させる。そして、接着剤の硬化後、タイル保持枠１０を取り外してもよい。
【００６４】
タイル保持枠１０をセットタイル２０から取り外した後、連結プレート２２の開口部２２ｃ内に露出するタイル連結体２１部分に固定手段としてのビス１９を打ち込んで外壁下地材３５に打ち込むことによりタイル連結体２１を外壁３０に本固定する（図７、８を参照）。
【００６５】
タイル連結体２１を固定後、外壁３０の引っ掛け板３２と支持体３１を取り外して図９に示すような状態にし、タイル連結体２１の外壁下地材３５の上端から突出する部分を切断し、タイル連結体２１、・・・に固定された連結プレート２２を取り外して一連のタイルの貼り付け作業を完了する。
【００６６】
尚、タイル貼付完了時のタイル取付構造は、図９に示すように建物の外壁３０の上下方向に隣接するタイル２３、・・・が外壁３０の上下方向に延伸するタイル連結体２１に貼り付けられ、タイル連結体２１の上下両縁部がビス１９、４１によって外壁３０にそれぞれ固定された構造となっている。
【００６７】
また、タイル連結体２１を外壁３０に固定した後に、タイル連結体２１の上部を切断しているが、タイル連結体２１と連結プレート２２とを連結するボルト２９を簡単に取り外せる場合やタイル連結体２１と連結プレート２２とをクランプ等で挟み込むことによって連結する場合には、切断作業を行わずに連結プレート２２をタイル連結体２１から取り外すことができる。
【００６８】
このように構成された本発明は、建物の外壁３０の上下方向に隣接するタイル２３、・・・の裏面２３ｂを建物の外壁３０の上下方向に延伸するタイル連結体２１、・・・に貼り付け、タイル２３、・・・の表面２３ａ側に配設されるタイル保持枠１０とタイル連結体２１、・・・とをタイル連結体２１、・・・のそれぞれの上縁部に固定される連結プレート２２を介して連結し、タイル保持枠１０を吊り下げてタイル連結体２１、・・・の上下両縁部をビス１９によって建物の外壁３０にそれぞれ固定することにより、複数のタイル２３、・・・を連結することにより形成された大面積で且つ重量の大きなセットタイル２０を一度の取付作業で建物の外壁３０に取付けすることができる。
【００６９】
このため、タイルの取付作業を行う作業者の負担を軽減できると共に、作業時間を短縮することができる。
【００７０】
また、タイル連結体２１、・・・の上下両縁部を建物の外壁３０にビス止め固定するので、セットタイル２０を建物の外壁３０に接着させる際、接着剤が完全に硬化するまでの間にセットタイル２０の自重によって外壁３０に対するセットタイル２０の取付位置がずれてしまう事態を防止することができる。
【００７１】
さらに、連結プレート２２を介してタイル連結体２１、・・・と連結されたタイル保持枠１０を吊り下げて運搬するので、例えば、タイル連結体２１、・・・を吊り下げることによってタイル連結体２１、・・・が変形し、貼り付けられたタイル２３が剥がれてしまうような事態を防止することができる。
【００７２】
また、タイル２３の表面２３ａ側にタイル保持枠１０を設けるので、タイル２３をタイル保持枠１０によって保持しながら建物の外壁３０に設置することができる。
【００７３】
これにより、セットタイル２０の吊り下げ時などにおいて、タイル連結体２１、・・・からタイル２３が剥がれることを防止することができる。
【００７４】
さらに、タイル連結体２１に形成された引っ掛け片部２４にタイル２３の裏面２３ｂに形成された凹溝２３ｃの上縁２３ｄを引っ掛けることにより、建物の火災時等において接着剤が軟化しても、タイル２３がタイル連結体２１から脱落することを防止することができる。
【００７５】
以上、図面を参照して、本発明の最良の実施の形態を詳述してきたが、具体的な構成は、この実施の形態に限らず、本発明の要旨を逸脱しない程度の設計的変更は、本発明に含まれる。
【００７６】
例えば、前記実施の形態では、外壁３０の幅方向に配設された複数のタイル連結体２１、・・・にタイル２３、・・・を貼り付けるようにしているが、これに限定されるものではなく、外壁３０の幅方向に延伸する板状の部材を上下方向に複数繋ぎ合せたタイル連結体にタイル２３、・・・を貼り付けたものでセットタイルを形成してもよい。
【００７７】
また、前記実施の形態では、ビス１９、４１を固定手段として用いてタイル連結体２１を外壁３０に固定しているが、タイル連結体２１の上下両縁部に挿通孔を固定手段として形成して、その挿通孔にビス１９、４１を挿通してタイル連結体２１を外壁３０に容易に固定できるようにしてもよい。
【００７８】
さらに、前記実施の形態では、タイル２３、・・・を連結する部材として長尺薄板状のタイル連結体２１を用いているが、これに限定されるものではなく、短尺のタイル連結体を外壁３０の上下方向に延伸するように連結したものであってもよい。
【図面の簡単な説明】
【００７９】
【図１】本発明の最良の実施の形態のタイル取付ユニットの概略構成を示す分解斜視図である。
【図２】図１のタイル保持枠とセットタイルをそれぞれＡ、Ｂ方向に見た際の概略構成を示す縦断面図である。
【図３】タイル貼付作業時の状態を説明する斜視図である。
【図４】タイル連結体にタイルを貼り付けた状態を示す拡大図である。
【図５】タイルを貼付け後にタイルの表面上にタイル保持枠を設置した状態を示す斜視図である。
【図６】図１のＡ、Ｂ方向に見たセットタイルとタイル保持枠と一体にして吊り下げたタイル取付ユニットを図１のＣ方向に見た建物の外壁に運搬する際の状態を示す縦断面図である。
【図７】セットタイルとタイル保持枠とを建物の外壁に固定した状態を示す縦断面図である。
【図８】図７のセットタイルとタイル保持枠とを建物の外壁に固定した状態においてタイル取付ユニットの上部を拡大した拡大図である。
【図９】タイル取付ユニット設置作業完了時の状態を示す縦断面図である。
【符号の説明】
【００８０】
１０    タイル保持枠
１９    ビス（固定手段）
２１    タイル連結体
２２    連結プレート（連結部材）
２３    タイル
２３ａ  表面
２３ｂ  裏面
２３ｃ  凹溝（溝部）
２４    引っ掛け片（引っ掛け部）
３０    外壁
４１    ビス（固定手段）
１００  タイル取付ユニット
【図１】
0004758815.tif 000002
【図２】
0004758815.tif 000003
【図３】
0004758815.tif 000004
【図４】
0004758815.tif 000005
【図５】
0004758815.tif 000006
【図６】
0004758815.tif 000007
【図７】
0004758815.tif 000008
【図８】
0004758815.tif 000009
【図９】
0004758815.tif 000010